(57)【要約】【課題】声ケーブルの接続不良等による入力信号の不良を検出して、音声出力不良を防止することができるサラウンド装置を提供する。【解決手段】入力信号検出部１３，１４からの検出信号２１，２２のいずれかがハイの場合は、マイコン１９はサラウンド回路１５に対してサラウンドＯＦＦの指示を行う指示信号２３を送る。サラウンド回路１５は、疑似ステレオ信号を生成せずに、オーディオ入力信号をそのまま音声アンプ１６に入力させ、スピーカ１７，１８を駆動する。このとき、サラウンドを解除する趣旨の注意警告をＯＳＤ表示する指示信号２４を表示部２０に行う。【選択図】図１
2008022127.tif 000002
【特許請求の範囲】
【請求項１】
左右オーディオ入力信号の和あるいは差を求めて該入力信号に加算して簡易的にサラウンド効果を生じさせるサラウンド装置において、
前記左右オーディオ入力信号の有無を検出する入力信号検出手段と、
サラウンド効果を生じさせるサラウンド信号を生成するサラウンド手段と、
前記入力信号検出手段が一方の信号が入力されていないことを検出した場合、前記サラウンド手段をオフする制御手段とを備えたことを特徴とするサラウンド装置。
【請求項２】
前記制御手段は、サラウンド手段をオフする時は、警告報知手段を用いてユーザに注意警告を行うことを特徴とする請求項１に記載のサラウンド装置。
【請求項３】
前記制御手段は、前記警告報知手段に注意警告を表示することによって行うことを特徴とする請求項２記載のサラウンド装置。
【発明の詳細な説明】
【技術分野】
【０００１】
本発明は、２ｃｈステレオ信号に対する簡易型サラウンド機能を有するサラウンド装置に関するものであり、特に、音声ケーブルの接続不良等による音声出力不良を防止することができるサラウンド装置に関する。
【背景技術】
【０００２】
従来、左右２つのスピーカにより簡易的にサラウンド効果を発生させることができるサラウンド技術がある（特許文献１参照）。この技術は、２つのスピーカにて簡易的にサラウンド効果を得られるので、例えば、テレビジョン受信機等に使用されている。
【０００３】
図３は、このサラウンド回路のブロック図である。このサラウンド回路は、左右オーディオ信号Ｌ，Ｒに基づく疑似ステレオ信号ＬＳ，ＲＳを生成する疑似ステレオ回路５０、疑似ステレオ信号ＬＳ，ＲＳを減衰する減衰回路５１、左右オーディオ信号Ｌ，Ｒに疑似ステレオ信号ＬＳ，ＲＳを加算する加算回路５２，５３、スピーカ５４，５５を備える。
【０００４】
疑似ステレオ回路５０は、左右オーディオ入力信号Ｌ，Ｒに基づいて、後方からの残響音や反射音を形成するための疑似ステレオ信号ＬＳ，ＲＳを生成する。疑似ステレオ信号ＬＳ，ＲＳは、左右オーディオ入力信号Ｌ，Ｒの和と差である。そして、減衰回路５１にて減衰して、疑似ステレオ信号ＬＳを左オーディオ入力信号Ｌに、疑似ステレオ信号ＲＳを右のオーディオ入力信号Ｒに加算する。
【０００５】
左右のスピーカ５４，５５から同一信号による同一の音を発生させると、音がスピーカ５４，５５の中央に定位することになる。ところが、疑似ステレオ信号ＬＳ，ＲＳは同一信号ではないので、スピーカ５４，５５から同一信号が発生されず、音がスピーカ５４，５５の中央に定位することはない。そして、この疑似ステレオ信号ＬＳ，ＲＳが視聴者に到達する時間に差ができ、あたかも疑似ステレオ信号ＬＳ，ＲＳが後方で反射されているように聞こえる。
【０００６】
このように、入力信号に基づいて生成した疑似ステレオ信号を、再び入力信号に印可することによってサラウンド効果を発生させる。疑似ステレオ信号は、上記に限らず、和のみの場合も、差のみの場合も考えられる。
【特許文献１】特開２０００−１０２１００号公報
【発明の開示】
【発明が解決しようとする課題】
【０００７】
上記サラウンド効果は、左右のオーディオ入力信号が正常に入力された場合に効果を生じる。ところが、ユーザが接続端子にケーブルを接続する場合、例えば、外部音声機器から音声信号（ステレオＬ／Ｒ）を入力する場合、接続端子に対するケーブルの接続不良状態を気づかない場合があり得る。そして、左右オーディオ入力信号のいずれか一方のみが接続不良で入力されない可能性がある。最悪の場合、入力された信号が２倍になって一方のスピーカから出力され、サラウンド処理を行わない通常モードの場合よりもひどい音声出力不良を起こすおそれがあった。
【０００８】
図３のサラウンド回路において、入力信号Ｌのみが入力され、入力信号Ｒがゼロの場合を想定してみる。ここで、減衰はしないものとすると、
・スピーカ５４への信号＝｜Ｌ＋Ｒ｜＋Ｌ＝２Ｌ
・スピーカ５５への信号＝｜Ｌ−Ｒ｜＋Ｒ＝Ｌ
となる。
【０００９】
すなわち、一方のスピーカには、入力信号の２倍の信号が出力され、他方のスピーカでは入力信号がそのままのレベルで漏れてしまう。従って、一方のスピーカの音量に対して、もう一方のスピーカの音量が大きくなり、左右で音量差が発生してしまう（ステレオ感がなくなり、異質な音質になる）。この状態でテレビが高出力になると、信号未入力側のスピーカで音声出力に異常がなくても、信号入力側のスピーカでは音声出力が２倍になり、音声歪みが発生し、スピーカや音声回路に高負荷がかかってしまう。
【００１０】
本発明は、上記課題を鑑み、音声ケーブルの接続不良等による入力信号の不良を検出して、音声出力不良を防止することができるサラウンド装置を提供することにある。
【課題を解決するための手段】
【００１１】
本発明は、左右オーディオ入力信号の和あるいは差を求めて該入力信号に加算して左右のスピーカを用いてサラウンド効果を生じさせるサラウンド装置において、
前記左右オーディオ入力信号の有無を検出する入力信号検出手段と、サラウンド効果を生じさせるサラウンド信号を生成するサラウンド手段と、前記入力信号検出手段が一方の信号が入力されていないことを検出した場合、前記サラウンド手段をオフする制御手段とを備えたことを特徴とする。
【００１２】
また、前記制御手段は、サラウンド手段をオフする時は、警告報知手段を用いてユーザに注意警告を行うことを特徴とする。さらに、前記制御手段は、前記警告報知手段に注意警告を表示することによって行ってもよい。
【発明の効果】
【００１３】
こうして、本発明は、左右オーディオ入力信号の音声信号の入力を検知し、サラウンド選択時にいずれか一方の入力信号だけが入力されている場合には、サラウンドを生じさせないようにするので、片方のスピーカからの出力が大きくなって音声歪みが発生したり、スピーカや音声回路に高負荷がかかったりすることを防止できる。
また、ユーザに対して注意警告を表示したりするので、ユーザがサラウンド機能が使えない理由を認識することができる。
【発明を実施するための最良の形態】
【００１４】
以下、本発明の実施の形態を添付図面を参照して説明する。
【００１５】
図１は、本発明に係るサラウンド装置を内蔵した液晶テレビジョン受信機の一実施形態を示すブロックである。図２は、接続不良を検出して音声不良を防止する手順を示すフローチャートである。
このサラウンド装置は、外部入力端子１１，１２と、外部入力端子１１，１２に対する入力信号を検出する入力信号検出部１３，１４と、簡易サラウンド信号を発生するサラウンド回路１５と、信号を増幅する音声アンプ１６と、スピーカ１７，１８と、各部を制御するマイコン１９と、表示部２０とを備える。当然、液晶テレビジョン受信機には、受信用部分や、表示制御用部分があるが、ここでは図による説明を省略する。
【００１６】
外部入力端子１１から入力された左オーディオ入力信号をＬ、外部入力端子１２から入力された右オーディオ入力信号をＲとする。オーディオ入力信号Ｌ，Ｒが入力されていると、一定レベル以上の電圧が印可される。入力信号検出部１３，１４は、入力信号Ｌ，Ｒが一定レベル以上の電圧を有しているかを検出し、検出信号２１，２２をマイコン１９に送出する。
【００１７】
ここで、入力信号検出部１３は、抵抗３１，３２，３３と、トランジスタ３４とからなり、入力信号検出部１４は、抵抗３５，３６，３７と、トランジスタ３８とからなる回路である。外部入力端子１１を、抵抗３２を介してトランジスタ３４のベースに接続するとともに、抵抗３１の一端に接続し、抵抗３１の他端を接地する。また、抵抗３３の一端をトランジスタ３４のコレクタに接続し、他端には電圧＋Ｖを印加する。トランジスタ３４のエミッタが接地されている。外部入力検出信号２１はとトランジスタ３４のエミッタから取り出す。同様に、外部入力端子１２を、抵抗３６を介してトランジスタ３８のベースに接続するとともに、抵抗３５の一端に接続し、抵抗３５の他端を接地する。また、抵抗３７の一端をトランジスタ３８のコレクタに接続し、他端には電圧＋Ｖを印加する。トランジスタ３８のエミッタが接地されている。外部入力検出信号２２はとトランジスタ３８のエミッタから取り出す。
【００１８】
外部入力端子１１，１２に入力信号が印加されない状態では、トランジスタ３４，３８のベースに電圧が供給されず、トランジスタ３４，３８がオフとなる。電圧＋Ｖが印加された抵抗３３，３７の電圧降下分だけ検出信号２１，２２の電圧が上昇する。一方、外部入力端子１１，１２に入力信号が印加されると、トランジスタ３４，３８のベースに電圧が供給され、トランジスタ３４，３８がオンとなる。検出信号２１，２２はグランドレベルに電圧が降下する。従って、入力信号が一定レベル以下の電圧（トランジスタがオフとなる電圧）の場合は検出信号はハイとなり、入力信号が一定レベルを超える電圧（トランジスタがオンとなる電圧）の場合は検出信号はロウとなる。
【００１９】
マイコン１９は、入力信号検出部１３，１４からの検出信号がともにロウあるいはハイの場合、サラウンド回路１５に対してサラウンドＯＮの指示を行う指示信号２３を送る。サラウンド回路１５は疑似ステレオ信号（Ｌ＋Ｒ，Ｌ−Ｒ）を生成して左右オーディオ入力信号に加算してサラウンド信号を作り音声アンプ１６を介してスピーカ１７，１８を駆動する。
【００２０】
入力信号検出部１３，１４からの検出信号２１，２２のいずれかがハイの場合は、マイコン１９はサラウンド回路１５に対してサラウンドＯＦＦの指示を行う指示信号２３を送る。サラウンド回路１５は、疑似ステレオ信号を生成せずに、オーディオ入力信号をそのまま音声アンプ１６に入力させ、スピーカ１７，１８を駆動する。このとき、サラウンドを解除する趣旨の注意警告をＯＳＤ表示する指示信号２４を表示部２０に行う。
【００２１】
さて、図２に、このテレビジョン受像機におけるサラウンドの処理手順を示す。
図１に示していないが、テレビ受像機はリモコンにより処理動作をユーザに指示される。ユーザがリモコンを用いて操作メニューボタンを押すと、表示部２０のテレビ画面に操作メニューが表示され、その中の操作項目をユーザがリモコンを用いて選択することによって、テレビジョン受像機に指示を与えることができる。
【００２２】
マイコン１９は、ユーザがリモコンを操作することにより外部入力が選択されたかを確認する（ステップＳ１）。外部入力が選択されていれば、表示部２０であるテレビ画面の音声調整メニューの「サラウンド」が選択されたかを確認する（ステップＳ２）。「サラウンド」が選択されていれば、入力信号検出部１３，１４からの信号がいずれか一方のみからの信号しかないか否かを確認する（ステップＳ３）。音声が左右２ｃｈから入力されているか、あるいは両方に入力されていなければ、マイコン１９はサラウンド回路１５にサラウンドＯＮの指示信号２３を送り、サラウンド処理を行わせる（ステップＳ４）。
【００２３】
入力信号検出部１３，１４からの信号がいずれか一方からの信号しか入力されていない場合は、サラウンド音声出力に不良が生じるため、これを防止する処理を行う必要がある。
【００２４】
まず、マイコン１９は、表示部２０に、ＯＳＤ表示の指示信号２３を送り、次の内容を表示させる（ステップＳ５）。
・「音声入力の両端子（左／右）に音声ケーブルを正しく接続してください。」
・「音声を片チャンネルにだけ入力する場合は、キャンセルを選択してください。」
・「はいｏｒキャンセル」
【００２５】
マイコン１９は、ユーザがリモコンを用いて「はい」あるいは「キャンセル」のいずれを選択したかを確認する（ステップＳ６）。ユーザが「はい」を選択した場合、接続不良は解消されているはずであるので、ステップＳ３に戻って、音声入力が両方の外部入力端子１１，１２になされているかを確認する。
【００２６】
ユーザが「キャンセル」を選択した場合、スピーカから音声が不良出力されるおそれが大きいため、マイコン１９は、ＯＳＤ表示指示信号２４を表示部２０を送り、次のような警告を行う。
・「音声を片チャンネルにだけ入力する場合、正常なサラウンド効果が得られず、音割れ等が発生する可能性があります。通常音声でお楽しみください。」
・「サラウンドを解除します。」
・「はい」（選択ボタン）
【００２７】
この場合、ユーザの指示どおりにサラウンド出力を行うと、スピーカや音声回路に高負荷がかかってしまうので、マイコン１９はサラウンドを解除する処理しか行わない。なお、いきなり強制的にサラウンド解除してしまっても良いが、その場合、ユーザが故障と勘違いするおそれがあるので、一応このように注意警告の表示を行ってから解除する。
【００２８】
マイコン１９は、ユーザが「はい」を選択したかを確認し（ステップＳ８）、「はい」を選択した場合に、サラウンド回路１５にサラウンドＯＦＦの指示信号を送り、通常音声処理を行う。ユーザが「はい」を選択しない場合、ステップＳ７に戻って警告表示を続ける。
【００２９】
こうして、簡易型サラウンド搭載テレビへステレオ機器を接続し、サラウンドを設定したとき、左右での音量差発生および片方のスピーカによる過大出力発生を防ぐことができる。
【００３０】
なお、本発明は、この実施形態に限定されるものではなく、注意警告は、文字によって行ったが、表示部２０において絵やアイコンを表示しても良いし、スピーカ１７，１８を用いて音声で注意警告を行っても良い。
【図面の簡単な説明】
【００３１】
【図１】本発明に係るサラウンド装置を内蔵した液晶テレビジョン受信機の一実施形態を示すブロック図である。
【図２】接続不良を検出して音声不良を防止する手順を示すフローチャートである。
【図３】従来のサラウンド回路のブロック図である。
【符号の説明】
【００３２】
１１，１２  外部入力端子
１３，１４  入力信号検出部
１５  サラウンド回路
１６  音声アンプ
１７，１８  スピーカ
１９  マイコン
２０  表示部
２１，２２  外部入力検出信号
２３  サラウンド指示信号
３１，３２，３３  抵抗
３５，３６，３７  抵抗
３４，３８  トランジスタ
５０  疑似ステレオ回路
５１  減衰回路
５２，５３  加算回路
５４，５５  スピーカ
Ｌ，Ｒ  左右オーディオ入力信号
ＬＳ，ＲＳ  疑似ステレオ信号
【図１】
2008022127.tif 000003
【図２】
2008022127.tif 000004
【図３】
2008022127.tif 000005